(57)【特許請求の範囲】
【請求項１】
水が流入する給水口と水を排水する排水口と、この給水口と排水口との間に設けた多孔体の支持材と、この多孔体の支持材上に成層するように設けた濾材と、前記濾材を補充するため濾過器本体の一部が開閉する開閉機構と、この開閉機構を底部に備え補充する濾材を入れる脱着自在な容器とを備えた濾過器。
【請求項２】
容器は外部から濾材を供給できる上ぶたを有する請求項１記載の濾過器。
【請求項３】
容器は開閉機構とともに脱着自在である請求項１または２記載の濾過器。
【請求項４】
開閉機構は、開、閉の制御が可能なアクチュエータを有する請求項１ないし３のいずれか１項に記載の濾過器。
【発明の詳細な説明】
【０００１】
【発明の属する技術分野】
本発明は、使用済みの風呂の水を浄化したり、水道水の濁り成分や菌類を除去する等の用途に使用する水の浄化技術に関するものである。
【０００２】
【従来の技術】
以下、従来の技術について図１２に基づいて説明する。１は原水が流入する給水口、２は濾過済みの処理水を排水する排水口、３はこの給水口１と排水口２との間に設けた多孔体の支持材、４は前記多孔体の支持材３上に成層するように備えた濾材、５は前記給水口１に原水を送り込むポンプなどの送水手段である。
【０００３】
以上の構成で、送水手段５によって汲み上げられ給水口１より流入する原水を濾材４にて濾過し、排水口２よりの処理水として排水する。
【０００４】
【発明が解決しようとする課題】
しかしながら上記従来の濾過器では、濾過を続けていると濾過部に加わる高い圧力によって濾材が多孔体の支持材の穴から抜け出る問題点があったり、また濾過部や濾材表面等に付着した汚れ成分を濾過時とは逆方向に水を流すことで洗い流す逆洗浄を行うと、濾材を濾過器内部に保持しておく工夫をしていても濾材が流れ出てゆくのを阻止する事が出来ない問題点があった。
【０００５】
このため、濾過器を長時間使用していると濾過器から濾材が流出して、濾過率が低下することは避けることができなかった。
【０００６】
【課題を解決するための手段】
上記課題を解決するために本発明の濾過器は、水が流入する給水口と水を排水する排水口と、この給水口と排水口との間に設けた多孔体の支持材と、この多孔体の支持材上に成層するように設けた濾材と、前記濾材を補充するため濾過器本体の一部が開閉する開閉機構と、この開閉機構を底部に備え補充する濾材を入れる脱着自在な容器とを備えることとしたものである。
【０００７】
【発明の実施の形態】
本発明は各請求項に記載した構成を実施形態とすることができるのであるが、その実施形態を理解して実施がし易くなるように、以下に構成に加えて作用を併記することとする。すなわち、請求項１記載の発明は、水が流入する給水口と水を排水する排水口と、この給水口と排水口との間に設けた多孔体の支持材と、この多孔体の支持材上に成層するように設けた濾材と、前記濾材を補充するため濾過器本体の一部が開閉する開閉機構と、この開閉機構を底部に備え補充する濾材を入れる脱着自在な容器とを備える構成としたもので、濾過器を長時間使用することで濾過器の中の濾材が漏れ出た場合に、開閉機構を操作して濾材を補充することができるようにするものである。
【０００８】
また、請求項２記載の発明は、請求項１記載の濾過器において容器は外部から濾材を供給できる上ぶたを有するもので、補充する多量の濾材を容器に入れて蓄えておける上、この容器に新たな濾材を供給することができるものである。
【０００９】
また、請求項３記載の発明は、請求項１または２記載の濾過器において容器は開閉機構とともに脱着自在であるとするもので、容器への濾材の供給がより容易に行えるものである。
【００１０】
また、請求項４記載の発明は、請求項１ないし３のいずれかに記載の濾過器において開閉機構は、開、閉の制御が可能なアクチュエータを備えたもので、濾過器への濾材の補充のための開閉機構の扉の開閉を人力以外で可能とするものである。
【００１１】
以下にこれらの具体的な実施例について説明する。
【００１２】
【実施例】
（実施例１）
図１〜３を用いて実施例１について説明する。図１において、１１は水が流入する給水口、１２は浄化済みの水を排水する排水口、１３は前記給水口１１と前記排水口１２との間に設けた多孔体の支持材、１４は前記多孔体の支持材１３上に成層するように備えた濾材、１５は濾過器本体の一部に設けた開閉機構で、この開閉機構１５を操作して濾過器本体の一部をあけて濾材を補充する。１６は前記給水口１１に原水を送り込む送水手段である。
【００１３】
以下本実施例の動作について説明する。送水手段１６が駆動すると原水はホースなどの配管１７を経由して給水口１１より濾過器内に取り込まれ、濾材１４にて濾過された後、排水口１２より排水される。
【００１４】
続いて、開閉機構１５の具体的な実施例を図２、図３を用いて説明する。１８は濾過器本体に設けられた濾材１４を投入するための開口部、１９は通常前記開口部１８を覆っておくための扉、２０は回転運動を行う前記扉１９のための回転軸、２１はスライド運動を行う前記扉１９のためのガイドで、回転軸２０やガイド２１によって扉１９は回転運動あるいはスライド運動をし、この結果開口部１８が開閉する。濾過器内部への濾材１４の補充はこの開口部１８より匙等を用いて行う。
【００１５】
このように本発明によれば、開閉機構１５を設けているので、高い圧力を受けた濾材が多孔体の支持材１３の孔より漏れ出た場合でも新たに濾材を濾過器内に補充することができ、濾材流出による濾過率の低下を回復させることができる。
【００１６】
なお、送水手段１６としてはポンプなどが挙げられる。また、開閉機構１５には場合に応じ、扉１９を持つための取っ手２２や濾過器内部の水等が漏れ出ないためのシール２３を備える必要がある。
【００１７】
（実施例２）
図４を用いて実施例２について説明する。全体の構成は実施例１と同様なので省略し、その他の部品についてのみ説明する。なお、実施例１の構成部分と同一構成部分については図１の符号と同じ符号を付与する。２４は、補充する濾材を入れる上ぶた２５を有する容器で、その底部には開閉機構１５を備えている。
【００１８】
このように本実施例によれば、容器２４を備えているので補充する濾材を大量に蓄えたまま、補充したいときに開閉機構１５を用いて容易に濾材を補充することができるものである。また、容器２４は上ぶた２５を有しているため、容易に容器２４内に新たな濾材を供給できるだけでなく、通常は上ぶた２５を閉じておくことで濾材が容器２４からこぼれ出たり、また濾過率の低下や圧力損失の上昇等、濾過時に問題となる濾材への異物の混入を阻止することができる。
【００１９】
（実施例３）
図５を用いて実施例３について説明する。全体の構成は実施例１と同様なので省略し、実施例３特有の部分についてのみ説明する。なお、実施例１および２の構成部分と同一構成部分は図１、図４の符号と同じ符号を付与する。２４は補充する濾材を入れる上ぶた２５を有する容器で、その底部に備えた開閉機構１５とともに濾過器本体から脱着が自在である。
【００２０】
このように本実施例によれば、上ぶた２５を有する補充濾材を入れる容器２４が、開閉機構１５とともに濾過器本体に脱着が自在であることから、実施例２に記述の効果に加え、より容易に容器２４への濾材の供給が行え、また容器２４内部の洗浄が容易に行えるだけでなく、開閉機構１５のメンテナンスも簡単に行うことができる。
【００２１】
（実施例４）
図６を用いて実施例４について説明する。全体の構成は実施例１と同様なので省略し、実施例４特有の部分についてのみ説明する。なお、実施例１の構成部分と同一構成部分については図１の符号と同じ符号を付与する。２６は開閉機構１５の扉１９の開閉を電気的または機械的に行うアクチュエータである。
【００２２】
このように本実施例によれば、開閉機構１５にアクチュエータ２６を備えているので、人力によらずに開閉機構１５の扉１９を開閉させられ、開閉にかける手間を省くことができる。
【００２３】
（参考例１）
図７を用いて参考例１について説明する。全体の構成は実施例１と同様なので省略し、参考例１特有の部分についてのみ説明する。なお、実施例１の構成部分と同一構成部分については図１の符号と同じ符号を付与する。２７は、補充する濾材を入れる上ぶた２８を有する容器、２９は前記容器２７の内部を複数の部屋３０に水平に仕切るための仕切り板、３１は各部屋３０の底部ごとに設けた開閉機構である。
【００２４】
以下本参考例１の動作について説明する。仕切り板２９で仕切られた各部屋３０にそれぞれ適量の濾材を入れておき、濾材の補充が必要になれば各部屋３０の開閉機構３１を開口させて順次濾材を濾過器に補充してゆく。
【００２５】
このように本参考例１によれば、部屋３０ごとに開閉機構３１を独立して設けているので、容器２７から濾過器への濾材の補充後、その都度容器２７へ濾材を供給する必要はなく、部屋数の回数だけ続けて濾過器へ濾材を補充できる。また、予め適量の濾材を各部屋３０に供給しておくことで少量ずつ一定量を濾過器に補充することができるものである。
【００２６】
（参考例２）
図８を用いて参考例２について説明する。全体の構成は実施例１と同様なので省略し、参考例２特有の部分についてのみ説明する。なお、実施例１の構成部分と同一構成部分については図１の符号と同じ符号を付与する。３２は、補充する濾材を入れる上ぶた３３を有する容器、３４は前記容器３２の底部に設けたホッパー状部材、３５は前記ホッパー状部材３４の中央の穴から下方に伸びた筒状の部屋、３６、３７はそれぞれ前記筒状の部屋３５の上下をふさぐ開閉機構Ａ、開閉機構Ｂで、互いに連動して駆動する。
【００２７】
以下本参考例２の動作について説明する。上ぶた３３を開けて濾材を容器３２に投入すると、濾材はホッパー状部材３４を経て、ホッパー状部材３４中央の穴の下方にある閉じた状態の開閉機構Ａ３６の上面に至る。ここで開閉機構Ａ３６を開くと濾材はその下方の筒状の部屋３５へ進み、閉じた状態の開閉機構Ｂ３７の上面で止まる。この状態で開閉機構Ａ３６を閉じて開閉機構Ｂ３７を開くと、一定量の濾材を濾過器に補充することができる。
【００２８】
このように本参考例２によれば、多量の濾材を容器３２内に蓄えながら、一定で少量の濾材を複数回にわたり濾過器に補充することができるものである。
【００２９】
また、底面積も小さくできるので省スペ−ス化が図れ、開閉機構も二つで機能できるので安価で済む。
【００３０】
（参考例３）
図９を用いて参考例３について説明する。３８は上ぶた３９とその一部に開口部４０を有する補充濾材を入れる容器、４１は回転する回転軸でこの回転軸４１より放射状に形成した仕切り板４２とともに回転する。
【００３１】
以下本参考例３の動作について説明する。図９（イ）、（ロ）の場合、容器３８に濾材が入った状態で仕切り板４２が回転軸４１の回転に従って回転すると容器３８の底部に設けた開口部４０より順次濾材が濾過器内部に落下し、濾材が補充される。また、図１０の場合も同様に、開口部４０より仕切り板４２に達した容器３８内の濾材４３が、回転軸４１と仕切り板４２の回転によって濾過器内部に落下して濾材が補充される。
【００３２】
このように本参考例３によれば、ごく簡単な構成で一定で少量の濾材を濾過器に補充することができるものである。
【００３３】
（参考例４）
図１１を用いて参考例４について説明する。全体の構成は実施例２と同様なので省略し、参考例４特有の部分についてのみ説明する。なお、実施例２と同一構成部分については、図４の符号と同じ符号を付与する。４４は濾過器内部の圧力を検知する圧力検知手段、４５は容器２４、開閉機構２５などを有する濾材補充機構である。
【００３４】
以下本参考例４の動作について説明する。圧力検知手段４４は、濾過器内部の圧力値や濾材１４を挟む前後の圧力損失値を測定する。濾過器を長時間使用していると、濾材１４が多孔体の支持材１３の穴を通り抜けたり、逆洗浄を行った場合に濾材１４が漏れ出たりして、濾過器内部の圧力値や濾材１４前後の差圧値は下がる。この場合、濾材１４が減った分濾過率は低下する。そこで濾材流出による濾過率低下を回復させるため、前記圧力測定値と連動して、圧力値が一定水準以下に達すると開閉機構１５が開くなど濾材補充機構４５が機能して自動的に濾材が補充されたり、あるいはブザー、ランプなどで使用者に濾材の減少を知らしめたりする。
【００３５】
このように本参考例４によれば、濾材の補充時期がわかるだけでなく、濾材補充機構４５と圧力検知手段４４とを連動させることで、濾材補充の必要な場合に自動的に濾材を補充することができるものである。
【００３６】
【発明の効果】
以上説明したように、請求項１記載の発明によれば、水が流入する給水口と水を排水する排水口と、この給水口と排水口との間に設けた多孔体の支持材と、この多孔体の支持材上に成層するように設けた濾材と、前記濾材を補充するため濾過器本体の一部が開閉する開閉機構と、この開閉機構を底部に備え補充する濾材を入れる脱着自在な容器とを備えているので、高い圧力を受けた濾材が多孔体の支持材の穴から漏れ出た場合でも新たに濾材を濾過器内に補充することができ、濾材流出による濾過率の低下を回復させることができる。
【００３７】
また、請求項２記載の発明によれば、容器は外部から濾材を供給できる上ぶたを有するので濾材を大量に蓄えながら、濾材を補充したいときに開閉機構を用いて容易に濾過器に補充することができる。また、容器は上ぶたを有しているため、容器内に新たな濾材を容易に供給できるだけでなく、通常は上ぶたを閉じておくことで濾材が容器からこぼれ出たり、また濾過率の低下や圧力損失の上昇等、濾過時に問題となる濾材への異物の混入を阻止することができる。
【００３８】
また、請求項３記載の発明によれば、容器は開閉機構とともに脱着自在であることから、より容易に容器への濾材の供給が行え、また容器内部の洗浄が容易に行えるだけでなく、開閉機構のメンテナンスも簡単に行うことができる。
【００３９】
また、請求項４記載の発明によれば、開閉機構は、開、閉の制御が可能なアクチュエータを有するので、人力によらずに開閉機構の扉を開閉することができ、開閉にかける手間を省くことができる。
【図面の簡単な説明】
【図１】  本発明の実施例１における濾過器の主要断面図
【図２】  同濾過器付属の機能部品の斜視図
【図３】  同濾過器付属の他の機能部品の斜視図
【図４】  本発明の実施例２における濾過器の主要断面図
【図５】  本発明の実施例３における濾過器の主要断面図
【図６】  本発明の実施例４における濾過器付属の機能部品の斜視図
【図７】  本発明の参考例１における濾過器付属の機能部品の斜視図
【図８】  本発明の参考例２における濾過器付属の機能部品の断面図
【図９】  （イ）本発明の参考例３における濾過器付属の機能部品の斜視図
（ロ）同平面図
【図１０】  同他の構成の機能部品の要部断面図
【図１１】  本発明の参考例４における濾過器の主要断面図
【図１２】  従来例における濾過器の主要断面図
【符号の説明】
１、１１  給水口
２、１２  排水口
３、１３  多孔体の支持材
４、１４  濾材
５、１６  送水手段
１５  開閉機構
１８  開口部
１９  扉
２０  回転軸
２１  ガイド
２４、２７、３２、３８  容器
２５  上ぶた
２６  アクチュエータ
２９、４２  仕切り板
３０、３５  部屋
３１  開閉機構
３４  ホッパー状部材
３６  開閉機構Ａ
３７  開閉機構Ｂ
４０  開口部
４１  回転軸
４３  濾材
４４  圧力検知手段
４５  濾材補充機構
【図１】
0003767185.tif 000002
【図２】
0003767185.tif 000003
【図３】
0003767185.tif 000004
【図４】
0003767185.tif 000005
【図５】
0003767185.tif 000006
【図６】
0003767185.tif 000007
【図７】
0003767185.tif 000008
【図８】
0003767185.tif 000009
【図９】
0003767185.tif 000010
【図１０】
0003767185.tif 000011
【図１１】
0003767185.tif 000012
【図１２】
0003767185.tif 000013